(57)【要約】【課題】  放送されるコンテンツの特徴判断を、放送局から送られてくる情報だけでなく判定することができ、また、映像をリアルタイムにジャンル別に判定することができる画像表示装置を得る。【解決手段】  入力された映像信号の、輝度信号における均一に階調数を分割しているヒストグラムから得られる最大階調値あるいはそれに準ずる値、中間階調値あるいはそれに準ずる値、最小階調値あるいはそれに準ずる値、平均階調値あるいはそれに準ずる値に基づいて、コンテンツの特徴を判定し、画像信号に対して階調補正を行っているため、コンテンツの特性に応じたコントラスト調整が可能であり、コントラスト調整機能を操作することなくコントラストを向上することができる。【選択図】          図１
2007124453.tif 000002
【特許請求の範囲】
【請求項１】
１または複数のフレーム分の画像信号に含まれる画素が取り得る輝度の全階調を所定数の領域に分割して階級とし、各階級に該当する前記フレームに含まれる画素数について
最大階級から各階級ごとに該当する画素数を累積し全画素の半分より小さい所定の割合に達する階級の階調値である最大階調情報値と、
最大階級あるいは最小階級から各階級ごとに該当する画素数を累積し全画素の半分に達する階級の輝度値である中間階調情報値と、
最小階級から各階級ごとに該当する画素数を累積し全画素の半分より小さい所定の割合に達する階級の輝度値である最小階調情報値と、
全画素の階級の平均を算出し、その階級の階調値である平均輝度階調情報値とを出力する輝度情報検出部と、
前記輝度情報検出部から出力される前記各階調情報値とこの各階調情報値ごとに予め設定されたしきい値とを比較した比較結果から前記画像信号の映像コンテンツの特徴判定を行う特徴判定部と、
前記特徴判定部から出力される前記特徴判定値に基づいて、前記画像信号の階調補正を行う階調補正部を備える、画像表示装置。
【請求項２】
前記階級は、所定数の領域に不均一に分割したことを特徴とする請求項１に記載の画像表示装置。
【請求項３】
１または複数のフレーム分の画像信号に含まれる画素について
最大階調から所定の第一の階調までに含まれる画素数である最大輝度画素数情報値と、
最小階調から所定の第二の階調までに含まれる画素数である最小輝度画素数情報値と、
前記第二の階調より大きい第三の階調と、この第三の階調より大きく、かつ前記第一の階調より小さい第四の階調との間に含まれる画素数である中間輝度画素数情報値と、
全画素の階級の平均を算出し、その階級の階調値である平均輝度階調情報値とを出力する画素数情報検出部と、
前記画素数情報検出部から出力される前記各画素数情報値および平均輝度情報値とこの各画素数情報値および平均輝度情報値ごとに予め設定されたしきい値とを比較した比較結果から前記画像信号の映像コンテンツに対応した特徴判定値を出力する特徴判定部と、
前記特徴判定部から出力される前記特徴判定値に基づいて、前記画像信号の階調補正を行う階調補正部を備える、画像表示装置。
【請求項４】
前記特徴判定部は、前記比較結果の組合わせに対応したコンテンツ番号を記憶しており、前記比較結果の組合わせに対応したコンテンツ番号を特徴判定値として出力し、
前記階調補正部は、予め設定された前記特徴判定値に対応した階調補正パラメータを用いて前記画像信号の階調補正を行うことを特徴とする請求項１乃至３のいずれかに記載の画像表示装置。
【請求項５】
前記フレームは所定の周期ごとに抽出されることを特徴とする請求項１乃至４のいずれかに記載の画像表示装置。
【請求項６】
前記フレームはシーンチェンジごとに抽出されることを特徴とする請求項１乃至４のいずれかに記載の画像表示装置。
【請求項７】
前記特徴判定部は、前記４つの輝度情報値のうちのいずれか１つまたは複数を用いて前記画像信号の映像コンテンツの特徴判定を行うことを特徴とする請求項１または２に記載の画像表示装置。
【請求項８】
前記輝度情報検出部は１フレーム分の画像信号ごとに前記各階調情報値を出力し、
前記特徴判定部は、前記コンテンツ番号と判定された度数を累積し、所定の度数以上となった場合に該コンテンツ番号を前記特徴判定値として出力することを特徴とする請求項４に記載の画像表示装置。
【発明の詳細な説明】
【技術分野】
【０００１】
本発明は、画像表示装置に関する。
【背景技術】
【０００２】
従来の画像表示装置が例えば下記特許文献１に開示されている。特許文献１に記載のデジタルテレビ放送受信機では、デジタル放送コンテンツとともに放送局から送られてくるジャンル情報を元に、出力映像特性および出力音声特性をジャンル別にユーザの好みに応じて設定している。
【０００３】
また、ビデオコンテンツを特徴付ける方法が例えば下記特許文献２に開示されている。特許文献２に記載のビデオコンテントのヒストグラム式特徴付け方法では、ビデオコンテント内のキーフレームを識別することにより、そのキーフレームからヒストグラムを作成し、そのヒストグラムを分類することで番組の境界線とビデオコンテントの検索をつけている。
【０００４】
【特許文献１】特開平１０−３２２６２２号公報
【特許文献２】特表２００２−５２０７４７号公報
【発明の開示】
【発明が解決しようとする課題】
【０００５】
特許文献１において、ジャンル情報は、ＣＳ放送のようなデジタル放送の場合に、コンテンツ情報と同時に送られてくるものである。すなわちこれらのコンテンツ情報は、従来のアナログ放送や、ＤＶＤなどの録画された映像には含まれていない。また、送られてくる映像のジャンルが必ずしも視聴者が分類するジャンルに正しく分かれているわけではない。例えば、そのコンテンツがアニメであるのか映画であるのかという判断は、放送局から送られてくる情報により判定されているため、視聴者の分類と異なる場合がある。
【０００６】
特許文献２において、ジャンルはキーフレームを識別し、これをもとにヒストグラムに分解し、そのヒストグラムの分類からジャンルを判定し、番組の境界線と番組の検索をするために、映像をリアルタイムにジャンル別に判定することは出来ない。
【０００７】
そこで、本発明は上述の問題に鑑みて成されたものであり、入力された映像信号の輝度ヒストグラムより映像の特徴量を抽出し、コンテンツの特徴に適応した画像処理を行う画像表示装置を提供することを目的とする。
【課題を解決するための手段】
【０００８】
この発明の画像表示装置は、１フレーム分の画像信号から得られる輝度信号から階調数を均等に分割しているヒストグラムを作成し、当該ヒストグラムから、最大階調値あるいはそれに準ずる値である最大階調情報値を検出して、最大輝度情報として出力する最大階調検出部と、中間階調値あるいはそれに準ずる値である中間階調情報値を検出して、中間輝度情報として出力する中間階調検出部と、最小階調値あるいはそれに準ずる値である最小階調情報値を検出して、最小輝度情報として出力する最小階調検出部と、平均階調値あるいはそれに準ずる値である平均階調情報値を検出して、平均輝度情報値として出力する平均輝度階調検出部と、これら情報をもとにコンテンツの特徴を判定するコンテンツ特徴判定部と、前記１フレーム分の画像信号に対して階調補正を行う階調補正部とを備える。
【発明の効果】
【０００９】
この発明の第１の画像表示装置によれば、輝度信号における均一に階調数を分割しているヒストグラムから得られる最大階調値あるいはそれに準ずる値、中間階調値あるいはそれに準ずる値、最小階調値あるいはそれに準ずる値、平均階調値あるいはそれに準ずる値に基づいて、コンテンツの特徴を判定し、画像信号に対して階調補正を行っているため、コンテンツの特性に応じたコントラスト調整が可能であり、コントラスト調整機能を操作することなくコントラストを向上することができる。
【発明を実施するための最良の形態】
【００１０】
実施の形態１．
図１は、本発明の実施の形態１に係る画像表示装置の構成を示すブロック図である。本実施の形態１に係る画像表示装置は、入力端子１と、受信部２と、画像処理装置７と、表示部８とを備えている。入力端子１には、テレビやコンピューター等で用いられている所定の形式の画像信号Ｄａが入力される。受信部２は、入力端子１に入力された画像信号Ｄａを受信して、当該画像信号Ｄａを画像処理装置７で処理可能な形式に変換して画像信号Ｄｂとして出力する。例えば受信部２は、画像信号Ｄａを、輝度信号Ｙを含むいくつかのデジタル形式の画像信号に変換して画像信号Ｄｂとして出力する。受信部２は、入力された画像信号Ｄａがアナログ形式の信号の場合にはＡ／Ｄ変換器などで構成され、入力された画像信号Ｄａがデジタル形式の信号の場合にはその形式に適合した所定の復調器等などで構成される。
【００１１】
画像処理装置７は、輝度情報検出部９及びコンテンツ特徴判定部１０及び階調補正部６を備えており、階調補正部６は、補正制御部４及び補正実行部５を有している。受信部２から出力された画像信号Ｄｂは、画像処理装置７の輝度情報検出部９及び補正実行部５に入力される。輝度情報検出部９は、入力された画像信号Ｄｂに含まれる輝度信号Yから、各画素における輝度の階調情報値Yｉを検出して、コンテンツ特徴検出部１０に出力する。コンテンツ特徴検出部１０は、階調情報値Yiをもとに映像コンテンツの特徴を判定し、コンテンツ特徴情報値Jiを補正制御部４に出力する。補正制御出力部４は、補正実行部５が画像信号Ｄｂに対する階調補正を行う際に使用する補正パラメータＰａをコンテンツ特徴情報値Jｉに基づいて算出し、補正実行部５に出力する。
【００１２】
補正実行部５は、入力された補正パラメータＰａを用いて画像信号Ｄｂに対して階調補正を行い、それを画像信号Ｄｃとして表示部８に出力する。表示部８は、入力された画像信号Ｄｃに基づいて画像を表示する。表示部８は、例えば、液晶ディスプレイ、ＤＭＤ（Ｄｉｇｉｔａｌ  Ｍｉｃｒｏｍｉｒｒｏｒ  Ｄｅｖｉｃｅ）ディスプレイ、ＥＬディスプレイ、あるいはプラズマディスプレイであって、反射型、透過型、あるいは自発光デバイスなどのあらゆる表示手段を適応できる。
【００１３】
図２は輝度情報検出部９の詳細な構成を示すブロック図である。図２に示されるように、本実施の形態１に係る輝度情報検出部９は、ヒストグラム生成部９１ｙと、最大階調検出部９２ｙと、中間階調検出部９３ｙと、最小階調検出部９４ｙと、平均輝度階調検出部９５ｙとを備えている。
【００１４】
受信部２から出力された画像信号Ｄｂに含まれる、輝度信号Yは、ヒストグラム生成部９１ｙに入力される。
【００１５】
ヒストグラム生成部９１ｙは、１フレーム分の画像信号Ｄｂにおける輝度信号Ｙのヒストグラムを生成する。最大階調検出部９２ｙは、ヒストグラム生成部９１ｙで生成されたヒストグラムから、１フレーム分の画像信号Ｄｂにおける輝度信号最大階調値を検出して最大階調情報値Yimaxを出力する。中間階調検出部９３ｙは、ヒストグラム生成部９１ｙで生成されたヒストグラムから、１フレーム分の画像信号Ｄｂにおける輝度信号中間階調値を検出して、中間階調情報値Yimidを出力する。最小階調検出部９４ｙは、ヒストグラム生成部９１ｙで生成されたヒストグラムから、１フレーム分の画像信号Ｄｂにおける輝度最小階調値を検出して最小階調情報値Yiminを出力する。平均輝度階調検出部９５ｙは、ヒストグラム生成部９１ｙで生成されたヒストグラムから、１フレーム分の画像信号Ｄｂにおける輝度信号平均階調値を検出して、平均階調情報値Yiaveを出力する。
【００１６】
ここで、「最大階調情報値」とは、最大階調値あるいは所定方法で検出される当該最大階調値に準ずる値を意味している。また「中間階調情報値」とは、中間階調値あるいは所定方法で検出される当該最小階調値に準ずる値を意味している。また「最小階調情報値」とは、最小階調値あるいは所定方法で検出される当該最小階調値に準ずる値を意味している。また「平均輝度階調情報値」とは、平均輝度階調値あるいは所定方法で検出される当該平均階調値に準ずる値を意味している。これらについては後で詳細に説明する。
【００１７】
図３は、ヒストグラム生成部９１ｙが生成するヒストグラムの一例を示す図である。図中の横軸は階調値（階級）を示し、縦軸は度数、つまり１フレーム分の画像信号Ｄｂの輝度に対する画素数を示している。なお以下の説明では、画像信号Ｄｂの輝度信号Ｙは、例えば８ビットのデータで構成されており、その階調値が“０”から“２５５”までの値を採り、その階調数は“２５６”とする。
【００１８】
本実施の形態１に係るヒストグラム生成部９１ｙは、例えば２５６の階調数を８階調ごとに３２の領域に分割し、当該３２の領域をヒストグラムの階級としている。そして、各階級での中心値付近の値、本例では、当該中心値に最も近くそれよりも大きい整数値を当該階級の代表値としている。例えば、階調値“０”から“７”までで構成される階級では、中心値は“３．５”となるため、当該階級の代表値は“４”となる。図３の横軸の数字は各階級の代表値を示している。
【００１９】
なお、階級の中心値が整数であれば、当該中心値を当該階級の代表値としても良い。また、本例のように階級の中心値が整数でなく小数の場合であっても、階級の代表値として当該階級の中心値を採用しても良い。階級の中心値が小数の場合には、本例のように、階級の代表値として当該階級の中心値付近の整数を採用することによって、演算量を低減できる。
【００２０】
このように、本実施の形態１に係るヒストグラム生成部９１ｒでは、８つの連続する階調値からなる領域を一つの階級としているため、図３に示されるヒストグラムの各度数は、８階調分の信号の総和となる。例えば、横軸の数値４に示された度数は、１フレーム分の輝度信号Ｄｂに含まれる、階調値０から階調値７までの信号の総和に相当する。
【００２１】
なお、図３のヒストグラムとは異なり、各階調値ごとに度数を計数してヒストグラムを生成してもよい。つまり、各階級を一つの階調値で構成するようにしても良い。この場合には、各階級の代表値は当該階級を構成する階調値そのものとなる。また、階調数を分割する場合には、その分割数は３２以外でも良く、当該分割数を減らすことによって、ヒストグラム生成部９１ｙでの演算量を低減することができる。分割数は、処理可能な演算量と、階調補正部６で必要とされる階調補正精度とに基づいて決定される。
【００２２】
最大階調検出部９２ｙは、以上のようにして生成されたヒストグラムにおいて、階級の最大から最小に向かって度数を累積し、それによって得られる累積度数ＨYＷが所定のしきい値YＡ（例えば、全画素の１０％にあたる値）よりも初めて大きくなる階級の代表値を抽出する。そして最大階調検出部９２ｙは、抽出した値を最大階調情報値Yimaxとして出力する。
【００２３】
一方、最小階調検出部９４ｙは、ヒストグラム生成部９１ｙで生成されたヒストグラムにおいて、階級の最小から最大に向かって度数を累積し、それによって得られる累積度数ＨＹＢが所定のしきい値YＢ（例えば、全画素の１０％にあたる値）よりも初めて大きくなる階級の代表値を抽出する。そして最小階調検出部９４ｙは、抽出した代表値を最小階調情報値Yiminとして出力する。
【００２４】
また、中間階調検出部９３ｙは、以上のようにして生成されたヒストグラムにおいて、階級の最小から最大に向かって度数を累積し、それによって得られる累積度数ＨYＢが所定のしきい値YC（たとえば画素数全体の半分にあたる値）よりも初めて大きくなる階級の代表値を抽出する。そして中間階調検出部９３ｙは、抽出した代表地を中間輝度階調Yimidとして出力する。尚、中間階調の検出は、累積度数ＨＹＷを用いてもよい。当然のことながら、しきい値YCを全画素の半分にあたる値に設定した場合には、ＨＹＢを用いた場合と同じ値になる。
【００２５】
図３に示されるヒストグラムでは、累積度数ＨYＷがしきい値YＡよりも初めて大きくなる階級の代表値は“１８８”であるため、この“１８８”が最大階調情報値Yimaxとなる。このように、最大階調情報値Yimaxは１フレーム分の画像信号Ｄｂにおける最大階調値“２０４”ではなく、累積度数ＨYＷ及びしきい値ＹＡを用いて検出された値である。なお、処理の軽減のため最大階調値自体を最大階調情報値として用いてもよい。これは以下の最小階調情報値についても同様である。
【００２６】
また図３の例では、累積度数ＨYＢがしきい値YＢよりも初めて大きくなる階級の代表値が“２０”であるため、この“２０”が最小階調情報値Yiminとなる。この最小階調情報値Yiminは、１フレーム分の画像信号Ｄｂにおける最小階調値ではなく、累積度数ＨYＢ及びしきい値YＢを用いて検出された値となる。
【００２７】
そして、累積度数ＨYＢがしきい値YＣよりも初めて大きくなる階級の代表値は“７６”であるため、この“７６”が中間階調情報値Yimidとなる。通常、この中間階調情報値Ｙｉｍｉｄは、１フレーム分の画像信号Ｄｂにおける全体の画素数の半分（５０％）に達しうたときの階調値となる。
【００２８】
平均輝度階調検出部９５ｙは、１フレーム分の画像信号Ｄｂから得られる輝度信号Ｄｂｙから、１フレーム分の輝度信号Ｄｂｙにおける平均輝度階調情報値を演算してこれを輝度信号平均階調情報値Yiaveとして出力する。具体的には、
輝度信号階調数をYi、その輝度信号階調の画素数を  ｎYi  として（１）の式で計算する。
輝度信号平均＝Σ（Y×ｎYi）／ΣｎYi    （１）
この平均輝度信号階調数を輝度信号平均階調情報値Ｙｉａｖｅとして出力する。
【００２９】
なお本例では、累積度数ＨYｗ，ＨYｂ等は、ヒストグラム生成部９１ｙで生成していたが、最大階調検出部９２ｙ及び中間階調検出部９３ｙ、最小階調検出部９４ｙ、平均輝度階調検出部９５ｙで生成しても良い。
【００３０】
図４はコンテンツ特徴検出部１０の詳細な構成を示すブロック図である。図４に示されるように、本実施の形態１に係るコンテンツ特徴検出部１０は、最大輝度判定部１０１ｙと、中間輝度判定部１０２ｙと、最小輝度判定部１０３ｙと、平均輝度判定部１０４ｙと、コンテンツ特徴判定部１０５ｙとを備えている。
【００３１】
輝度情報検出部から出力された最大階調情報値Ｙｉｍａｘは最大輝度判定部１０１ｙに入力され、中間階調情報値Ｙｉｍｉｄは中間輝度判定部１０２ｙに入力され、最小階調情報値Ｙｉｍｉｎは最小輝度判定部１０３ｙに入力され、平均輝度情報値Ｙｉａｖｅは平均輝度判定部１０４ｙに入力される。
【００３２】
最大輝度判定部１０１ｙは、最大階調情報値Ｙｉｍａｘから最大輝度の大きさを分類して、最大輝度情報値としてＹｉｍａｘ情報値を生成する。中間輝度判定部１０２ｙは、中間階調情報値Ｙｉｍｉｄから中間輝度の大きさを分類して、中間輝度情報値としてＹｉｍｉｄ情報値を生成する。最小輝度判定部１０３ｙは、最小階調情報値Ｙｉｍｉｎから最小輝度の大きさを分類して、最小輝度情報値としてＹｉｍｉｎ情報値を生成する。平均輝度判定部１０４ｙは、平均輝度階調情報値Ｙｉａｖｅから平均輝度の大きさを分類して、その平均輝度情報値としてＹｉａｖｅ情報値を生成する。
【００３３】
具体的には、図５に示すように最大輝度判定部１０１ｙは、最大階調情報値Ｙｉｍａｘの値が、所定の最大輝度判定閾値Ｙｍａｘａより小さい値であるか、所定の閾値Ｙｍａｘａ値とそれより大きな所定の閾値であるＹｍａｘｂ値の間の値であるか、最大輝度判定閾値Ｙｍａｘｂより大きい値であるかを判定し、３つの分類情報値であるＹｉｍａｘ小、Ｙｉｍａｘ中、またはＹｉｍａｘ大のいずれかを出力して、コンテンツ特徴判定部１０に入力される。具体的には、図５の例の場合は、所定の閾値Ｙｍａｘａ値とそれより大きな所定の閾値であるＹｍａｘｂ値の間の値であるため、Ｙｉｍａｘ中の情報値が出力され、コンテンツ特徴判定部１０５ｙに入力される。
【００３４】
また、中間輝度判定部１０２ｙは、図６に示すように、中間階調情報値Ｙｉｍｉｄの値が、所定の中間輝度判定閾値Ｙｉｍｉｄａより小さい値であるか、所定の閾値Ｙｍｉｄａ値とそれより大きな所定の閾値であるＹｍｉｄｂ値の間の値であるか、中間輝度判定閾値Ｙｍｉｄｂより大きい値であるかを判定し、３つの分類情報値であるＹｉｍｉｄ小、Ｙｉｍｉｄ中、Ｙｉｍｉｄ大のいずれかを出力して、コンテンツ特徴判定部１０５ｙに入力される。具体的には、図６の例の場合は、所定の閾値Ｙｉｍｉｄａ値とそれより大きな所定の閾値であるＹｍｉｄｂ値の間の値であるため、Ｙｉｍｉｄ中の情報値が出力され、コンテンツ特徴判定部１０５ｙに入力される。
【００３５】
また、最小輝度判定部１０３ｙは、図７に示すように、最小階調情報値Ｙｉｍｉｎの値が、所定の最小輝度判定閾値Ｙｉｍｉｎａより小さい値であるか、所定の閾値Ｙｉｍｉｎａ値とそれより大きな所定の閾値であるＹｉｍｉｎｂ値の間の値であるか、最小輝度判定閾値Ｙｉｍｉｎｂより大きい値であるかを判定し、３つの分類情報値であるＹｉｍｉｎ小、Ｙｉｍｉｎ中、Ｙｉｍｉｎ大のいずれかを出力して、コンテンツ特徴判定部１０５ｙに入力される。具体的には、図７の例の場合は、所定の閾値Ｙｉｍｉｎａ値より小さい値であるため、Ｙｉｍｉｎ小の情報値が出力され、コンテンツ特徴判定部１０５ｙに入力される。
【００３６】
また、平均輝度判定部１０４ｙは、式（１）より計算された平均輝度階調情報値Ｙｉａｖｅの値が、所定の平均輝度判定閾値Ｙｉａｖｅａより小さい値であるか、所定の閾値Ｙｉａｖｅａ値とそれより大きな所定の閾値であるＹｉａｖｅｂ値の間の値であるか、平均輝度判定閾値Ｙｉａｖｅｂより大きい値であるかを判定し、３つの分類情報値Ｙｉａｖｅ小、Ｙｉａｖｅ中、Ｙｉａｖｅ大のいずれかを出力して、コンテンツ特徴判定部１０５ｙに入力される。
【００３７】
コンテンツ特徴判定部１０５ｙは、４つの輝度情報値の組み合わせから、図８に示すような組み合わせをもとにコンテンツ特徴判定を行う。コンテンツ特徴判定部は、コンテンツ特徴判定情報値Ｊｉを出力し、階調補正部６に入力する。尚、コンテンツ特徴判定の組み合わせ表は、観視者の好みや映像データベースを元に任意に作成することが出来る。例えば、それぞれにしきい値に対して、平均輝度階調情報値Ｙｉａｖｅが小、最小階調情報値Ｙｉｍｉｎが小、中間階調情報値Ｙｉｍｉｄの値が小、最大階調情報値Ｙｉｍａｘが小であれば、コンテンツ特徴Ｊ1と判断して階調補正部６へ出力する。
【００３８】
また、コンテンツ特徴判定部１０５ｙは、４つの輝度情報値のうちの３つ以下の情報のみを使用して判定してもよい。例えば平均輝度情報値１つでコンテンツ特徴を分類する、平均輝度情報値と最大輝度情報値の２つで分類する、など情報を選択できる。このように、情報量を減らすことによって、特徴検出の速度を速め、必要なメモリー容量を減らすことが出来る。
【００３９】
補正制御部４は、入力されたコンテンツ特徴情報値Ｊｉに基づいて、コンテンツ特徴に対応した補正パラメータＰiを選択して、補正実行部５に出力する。図９は、補正制御部４の動作を説明するための図である。図９に示されるように、補正制御部４は、ｘ軸は入力信号（画像信号Ｄｂ）の階調値を表わし、ｙ軸は出力される階調値（画像信号Ｄｃ）を示すｘｙ座標系において、コンテンツ特徴判定に対応した変換式を選択する。具体的には、図８でしめした組み合わせ１の判定がなされたときは、変換グラフＰ１が選定される。
【００４０】
ここで、準備される変換グラフＰｉは、輝度情報値による組み合わせの数だけ配備（この例の場合は８１通り）してもよいし、コンテンツ特徴の種類の数と同じ数であってもよい。
【００４１】
補正実行部５は、補正パラメータＰｉが求められる際に使用された１フレーム分の画像信号Ｄｂに対して、当該補正パラメータＰｉに基づいて階調補正を行う。この階調補正は、１フレームごとに行う。
【００４２】
以上のように、本実施の形態１に係る画像表示装置では、全画素の輝度信号から求めた最大階調情報値及び中間階調情報値、最小階調情報値、平均輝度階調情報値に基づいて判定されたコンテンツ特徴情報に基づいて、画像信号Ｄｂに対して階調補正を行っているため、当該画像信号Ｄｂから得られるコンテンツ特徴判定をもとに最適なコントラスト調整が可能になる。
【００４３】
上記に係る画像処理装置では、フレーム毎に特徴を抽出しコンテンツ特徴を判定し、Ｄｂに対して階調補正を行っているため、リアルタイムにコンテンツ特徴判定を行い、フレーム毎に最適なコントラスト調整が可能である。
【００４４】
また、本実施の形態１では、生成した階調値のヒストグラムから得られる所定の累積度数がしきい値よりも初めて大きくなる階級の代表値を、その画像信号についての最大輝度情報値あるいは最小輝度情報値、中間輝度情報値としている。そのため、当該しきい値を調整することにより、細やかでユーザに対応する階調補正が可能となる。
【００４５】
また、上記当該しきい値を調整することにより、入力画像信号Ｄａにおける電圧レベルに合わせた値に変更可能であるため、画像信号入力装置に対応した階調補正が可能となる。さらに、階調補正の補正パラメータを、予めユーザが調整することとしてもよい。
【００４６】
上記では、各フレームごとに輝度信号を抽出することとしたが、演算量の低減のために一定タイミングごとに輝度信号を抽出することとしてもよい。例えば、図１０に示したように、輝度情報検出部９の前段にフレーム抽出部３０を設け、一定周期でフレームの輝度信号を抽出して、輝度情報検出部９に出力する構成としてもよい。さらに、このフレーム抽出部３０は、さらに所定数のフレーム分の画像信号を蓄積し、この蓄積されたフレームから輝度信号を抽出して輝度情報検出部９に出力する構成としてもよい。輝度情報検出部９以降の、ヒストグラムを生成した後の最大階調情報値Ｙｉｍａｘ、中間階調情報値Ｙｉｍｉｄ、最小階調情報値Ｙｉｍｉｎ、平均輝度階調情報値Ｙｉａｖｅの検出、およびそれらの判定結果であるＹｉｍａｘ情報値、Ｙｉｍｉｄ情報値、Ｙｉｍｉｎ情報値、Ｙｉａｖｅ情報値等の処理は上記と同様に行う。
【００４７】
また、図１１に示したように、輝度情報検出部９の前段にシーンチェンジ検出部３１を設け、シーンチェンジの検出ごとにフレームの輝度信号を抽出して、輝度情報検出部９に出力する構成としてもよい。シーンチェンジの検出処理は既知の方法で行う。例えば、上記特許文献２に記載のシーンチェンジ方法を採用してもよい。さらに、シーンチェンジ検出部３１はメモリを有し、シーンチェンジ検出後の所定数のフレームから輝度信号を抽出し、輝度情報検出部９に出力する構成としてもよい。複数のフレームを蓄積し、その蓄積したデータから輝度信号を抽出すれば、より正確なコンテンツ特徴検出を行うことができる。これにより各フレームごとに特徴判定を行う場合とくらべて演算量の低減を図りつつ、シーンごとに適切な階調補正を行うことができる。
【００４８】
さらに、１フレームごとにジャンル判定を行い、判定した度数を累積して、一定量に達したときにコンテンツの判定結果を出力する構成としてもよい。その際、図１においてコンテンツ特徴検出部１０のコンテンツ特徴判定部１０５ｙはジャンル判定した度数を蓄積するメモリを備え、度数が一定量に達したときにコンテンツの判定結果を出力する。
これらの応用例は、以下の実施の形態２〜４についても同様に適用することができる。
【００４９】
実施の形態２
図１２は、本発明の実施の形態２にかかわる画像表示装置の構成を示すブロック図である。本実施の形態２に係る画像表示装置は、上述の実施の形態１に係る画像処理装置において、輝度情報検出部９の替わりに輝度情報検出部１９を備えるものである。
【００５０】
本実施の形態２に係る画像処理装置７は、実施の形態１に係るコンテンツ特徴判定部１０と、階調補正部６と、輝度情報検出部１９を備えている。輝度情報検出部１９は、受信部２から出力される画像信号Ｄｂに含まれる輝度信号ＤｂＹが入力され、当該輝度信号ＤｂＹから各画素における輝度情報を検出して、ヒストグラムを作成し、ヒストグラムから得られる階調情報値Ｙｉを出力する。
【００５１】
階調補正部６は、上述の実施の形態１に係る補正制御部４と、補正実行部５とを備えている。本実施の形態２に係る補正制御部４は、実施の形態１と同じものであり、階調補正部６及び表示部８は、実施の形態１で説明した動作と全く同じ動作を行う。また、コンテンツ特徴判定部も同じ処理を行うため、それらの詳細な動作説明は省略する。
【００５２】
図１３は輝度情報検出部１９の詳細な構成を示すブロック図である。図１３に示されるように、本実施の形態２に係る輝度情報検出部１９は、ヒストグラム生成部１９１ｙと、最大階調検出部９２ｙと、中間階調検出部９３ｙと、最小階調検出部９４ｙと、平均輝度階調検出部９５ｙとを備えている。
【００５３】
最大階調検出部９２ｙと、中間階調検出部９３ｙと、最小階調検出部９４ｙと、平均輝度階調検出部９５ｙは、実施の形態１で説明した動作と全く同じ動作を行うため、それらの詳細な動作説明は省略する。
【００５４】
図１４は、本実施の形態２に係わるヒストグラム生成部１９１ｙが生成するヒストグラムの一例を示す図である。実施の形態２においては処理の対象、つまり度数を計数する対象となる階調値の範囲を自由に設定できるように構成している。
【００５５】
具体的には、ヒストグラム生成部１９１ｙは、例えば、階調数が“２５６”の場合、階調値“２２２”から階調値“２５５”までの範囲と階調値“０”から階調値“１８”までの範囲を４階調刻み、その他は２４刻みにしている。これにより、演算量を低減することと、最小階調情報値と最大階調情報値条件が細かく設定できる。
【００５６】
以上のように、本実施の形態２に係る画像表示装置では、ヒストグラム生成部の演算量を低減させているため、当該画像処理装置７の演算処理の量を小さくしながら、実施の形態１で得られる最適なコントラスト調整と同じ制御が可能になる。
【００５７】
また、本実施の形態２に係る画像処理装置では、実施の形態１同様にフレーム毎に特徴を抽出しコンテンツ特徴を判定して、Ｄｂに対して階調補正を行っているため、リアルタイムにコンテンツ特徴判定を行い、フレーム毎に最適なコントラスト調整が可能である。
【００５８】
また、生成した階調値のヒストグラムから得られる所定の累積度数がしきい値よりも初めて大きくなる階級の代表値を、その画像信号についての最大階調情報値あるいは最小階調情報値、中間階調情報値としている。そのため、当該しきい値を調整することにより、細やかでユーザに対応する階調補正が可能となる。
【００５９】
また、上記当該しきい値を調整することにより、入力画像信号Ｄａにおける電圧レベルに合わせた値に変更可能であるため、外部機器に対応した細やかな階調補正が可能となる。
【００６０】
ここで作成されるヒストグラムの階調の範囲は、最小階調情報値のみの階調の刻みを小さくしてもよいし、中間階調情報値のみの階調の刻みを小さくしてもよいし、最大階調情報値のみの階調の刻みを小さくしてもよい。刻み値の選定は、検出したいコンテンツの特徴に合わせて選択してもよい。
【００６１】
実施の形態３．
図１５は、本発明の実施の形態３に係る画像表示装置の構成を示すブロック図である。本実施の形態３に係る画像表示装置は、上述の実施の形態１に係る画像処理装置において、画像処理装置７の替わりに画像処理装置１７を備えるものである。
【００６２】
本実施の形態３に係る画像処理装置１７は、コンテンツ特徴判定部２０と、画素数情報検出部１１と、実施の形態１に係る階調補正部６と、を備えている。画素数情報検出部１１は、受信部２から出力される画像信号Ｄｂに含まれる輝度信号ＤｂＹが入力され、当該輝度信号ＤｂＹから各画素における輝度情報を検出して、ヒストグラムを作成し、ヒストグラムから得られる画素数情報値Ｎｉを出力する。
【００６３】
階調補正部６は、上述の実施の形態１に係る補正制御部４と、補正実行部５とを備えている。本実施の形態３に係る補正制御部４は、実施の形態１と同じものであり、階調補正部６及び表示部８は、実施の形態１で説明した動作と全く同じ動作を行うため、それらの詳細な動作説明は省略する。
【００６４】
図１６は画素数情報検出部１１の詳細な構成を示すブロック図である。図１６に示されるように、本実施の形態３に係る画素数情報検出部１１は、ヒストグラム生成部１１１ｙと、最大輝度画素数検出部１１２ｎと、中間輝度画素数検出部１１３ｎと、最小輝度画素数検出部１１４ｎと、平均輝度画素数検出部１１５ｎとを備えている。
【００６５】
受信部２から出力された画像信号Ｄｂに含まれる、輝度信号Yは、ヒストグラム生成部１１１ｙに入力される。
【００６６】
ヒストグラム生成部１１１ｙは、１フレーム分の画像信号Ｄｂにおける輝度信号ＤｂＹのヒストグラムを生成する。最大輝度画素数検出部１１２ｎは、ヒストグラム生成部１１１ｙで生成されたヒストグラムから、１フレーム分の画像信号Ｄｂにおける最大輝度信号画素数を検出して最大輝度画素数情報値Ｎimaxを出力する。中間輝度画素数検出部１１３ｎは、ヒストグラム生成部１１１ｙで生成されたヒストグラムから、１フレーム分の画像信号Ｄｂにおける中間輝度画素数を検出して、中間輝度画素数情報値Ｎimidを出力する。最小輝度画素数検出部１１４ｎは、ヒストグラム生成部１１１ｙで生成されたヒストグラムから、１フレーム分の画像信号Ｄｂにおける最小輝度信号画素数を検出して最小輝度画素数情報値Ｎiminを出力する。平均輝度検出部１１５ｎは、ヒストグラム生成部１１１ｙで生成されたヒストグラムから、１フレーム分の画像信号Ｄｂにおける平均輝度階調情報値を演算してこれを輝度信号平均階調情報値Yiaveとして出力する。
【００６７】
図１７は、ヒストグラム生成部１１１ｙが生成するヒストグラムの一例を示す図である。図中の横軸は階調値（階級）を示し、縦軸は度数、つまり１フレーム分の画像信号Ｄｂの輝度に対する画素数を示している。なお以下の説明では、画像信号Ｄｂの輝度信号Ｙは、例えば８ビットのデータで構成されており、その階調値が“０”から“２５５”までの値を採り、その階調数は“２５６”とする。
【００６８】
本実施の形態３に係るヒストグラム生成部１１１ｙは、例えば２５６の階調数を５１階調ごとに５つの領域に分割し、当該５の領域をヒストグラムの階級としている。即ち、第一の階調値”２０４”から最大階調値”２５５”までの階級から最大輝度画素数を算出し、最小階調値”０”から第二の階調値”５０”までの階級から最小輝度画素数を、そして、第三の階級値”１０２”から第四の階級値”１５２”までの階級から中間輝度画素数を算出する。その際、各階級での中心値付近の値、本例では、当該中心値に最も近くそれよりも大きい整数値を当該階級の代表値としている。例えば、階調値“０”から“５０”までで構成される階級では、中心値は“２４．５”となるため、当該階級の代表値は“２５”となる。図１７の横軸の数字は各階級の代表値を示している。例では階調を5段階に分けて、最小の階調２５を最小輝度とし、中間の階調１２２を中間輝度とし、最大の階調２２４を最大輝度としている。
【００６９】
なお、図１７のヒストグラムとは異なり、5以外の領域に分割してもよい。例えば、３つや7つの領域に分割し、それぞれの数の領域を構成するようにしても良い。これによって、より細かい特徴検出が可能になる。
【００７０】
最大輝度画素数検出部１１２ｎは、以上のようにして生成されたヒストグラムにおいて、階級の最大値の画素数、もしくは画素数に相当する画素数情報値を抽出する。そして最大輝度画素数検出部１１２ｎは、抽出した画素数情報値を最大輝度画素数情報値Ｎimaxとして出力する。
【００７１】
中間輝度画素数検出部１１３ｎは、以上のようにして生成されたヒストグラムにおいて、階級の中間値の画素数、もしくは画素数に相当する画素数情報値を抽出する。そして中間輝度画素数検出部１１３ｎは、抽出した画素数情報値を中間輝度画素数情報値Ｎimidとして出力する。
【００７２】
最小輝度画素数検出部１１４ｎは、以上のようにして生成されたヒストグラムにおいて、階級の最小値の画素数、もしくは画素数に相当する画素数情報値を抽出する。そして最小輝度画素数検出部１１４ｎは、抽出した画素数情報値を最小輝度画素数情報値Ｎiminとして出力する。
【００７３】
平均輝度階調検出部１１５ｙは、１フレーム分の画像信号Ｄｂから得られる輝度信号Ｄｂｙから、１フレーム分の輝度信号Ｄｂｙにおける平均輝度階調情報値Yiaveを演算して出力する。この動作は、実施の形態１の平均輝度階調検出部９５ｙと同じであるので、説明を省略する。
【００７４】
図１８はコンテンツ特徴判定部２０の詳細な構成を示すブロック図である。図１８に示されるように、本実施の形態３に係るコンテンツ特徴判定部２０は、最大輝度判定部２０１ｙと、中間輝度判定部２０２ｙと、最小輝度判定部２０３ｙと、平均輝度判定部２０４ｙと、コンテンツ特徴判定部２０５ｙとを備えている。
【００７５】
輝度情報検出部から出力された最大輝度画素数情報値Ｎｉｍａｘは最大輝度判定部２０１ｙに入力され、中間輝度画素数情報値Ｎｉｍｉｄは中間輝度判定部２０２ｙに入力され、最小輝度画素数情報値Ｎｉｍｉｎは最小輝度判定部２０３ｙに入力され、平均輝度情報値Ｙｉａｖｅは平均輝度判定部１０４ｙに入力される。
【００７６】
最大輝度判定部２０１ｙは、最大輝度画素数情報値Ｎｉｍａｘから最大輝度の画素数の大きさを分類して、その分類情報Ｎｉｍａｘ情報値を生成する。中間輝度判定部２０２ｙは、中間輝度情報値Ｎｉｍｉｄから中間輝度の大きさを分類して、その分類情報Ｎｉｍｉｄ情報値を生成する。最小輝度判定部２０３ｙは、最小輝度情報値Ｎｉｍｉｎから最小輝度の大きさを分類して、その分類情報Ｎｉｍｉｎ情報値を生成する。平均輝度判定部２０４ｙは、平均輝度情報値Ｙｉａｖｅから平均輝度の大きさを分類して、その分類情報Ｙｉａｖｅ情報値を生成する。
【００７７】
具体的には、図１９に示すように最大輝度判定部２０１ｙは、最大輝度画素数情報値Ｎｉｍａｘの値が、所定の最大輝度画素数判定閾値Ｎｍａｘａより小さい値であるか、所定の閾値Ｎｍａｘａ値とそれより大きな所定の閾値であるＮｍａｘｂ値の間の値であるか、最大輝度判定閾値Ｎｍａｘｂより大きい値であるかを判定し、３つの分類情報値であるＮｉｍａｘ小、Ｎｉｍａｘ中、またはＮｉｍａｘ大のいずれかを出力して、コンテンツ特徴判定部２０５ｙに入力される。具体的には、図１９の例の場合は、所定の閾値Ｎｍａｘｂ値よりも大きいため、Ｎｉｍａｘ中の情報値が出力され、コンテンツ特徴判定部２０５ｙに入力される。
【００７８】
また、中間輝度判定部２０２ｙは、図２０に示すように、中間輝度画素数情報値Ｎｉｍｉｄの値が、所定の中間輝度画素数判定閾値Ｎｍｉｄａより小さい値であるか、所定の閾値Ｎｍｉｄａ値とそれより大きな所定の閾値であるＮｍｉｄｂ値の間の値であるか、中間輝度判定閾値Ｎｍｉｄｂより大きい値であるかを判定し、３つの分類情報値であるＮｉｍｉｄ小、Ｎｉｍｉｄ中、Ｎｉｍｉｄ高のいずれかを出力して、コンテンツ特徴判定部２０５ｙに入力される。具体的には、図２０の例の場合は、所定の閾値Ｎｉｍｉｄｂ値より大きな値であるため、Ｎｉｍｉｄ大の情報値が出力され、コンテンツ特徴判定部２０５ｙに入力される。
【００７９】
また、最小輝度判定部２０３ｙは、図２１に示すように、最小輝度情報値Ｎｉｍｉｎの値が、所定の最小輝度画素数判定閾値Ｎｍｉｎａより小さい値であるか、所定の閾値Ｎｍｉｎａ値とそれより大きな所定の閾値であるＮｍｉｎｂ値の間の値であるか、最小輝度判定閾値Ｎｍｉｎｂより大きい値であるかを判定し、３つの分類情報値であるＮｉｍｉｎ小、Ｎｉｍｉｎ中、Ｎｉｍｉｎ高のいずれかを出力して、コンテンツ特徴判定部２０５ｙに入力される。具体的には、図２１の例の場合は、所定の閾値Ｎｍｉｎａ値とＮｍｉｎｂの間であるため、Ｎｉｍｉｎ中の情報値が出力され、コンテンツ特徴判定部２０５ｙに入力される。
【００８０】
また、平均輝度判定部２０４ｙは、式（１）より計算された平均輝度情報値Ｙｉａｖｅの値が、所定の平均輝度判定閾値Ｙａｖｅａより小さい値であるか、所定の閾値Ｙａｖｅａ値とそれより大きな所定の閾値であるＹａｖｅｂ値の間の値であるか、平均輝度判定閾値Ｙａｖｅｂより大きい値であるかを判定し、３つの分類情報値Ｙｉａｖｅ小、Ｙｉａｖｅ中、Ｙｉａｖｅ高のいずれかを出力して、コンテンツ特徴判定部２０５ｙに入力される。
【００８１】
コンテンツ特徴判定部２０５ｙは、４つの輝度情報値の組み合わせから、図２２に示すような組み合わせをもとにコンテンツ特徴判定を行う。コンテンツ特徴判定部は、コンテンツ特徴判定情報値Ｊｉを出力し、階調補正部６に入力する。尚、コンテンツ特徴判定の組み合わせ表は、実施の形態１同様に、観視者の好みや映像データベースを元に任意に作成することが出来る。例えば、平均輝度判定値Ｙｉａｖｅが低、最小輝度情報値Ｎｉｍｉｎが小、中間輝度情報値Ｎｉｍｉｄの値が小、最大輝度情報値Ｎｉｍａｘが小であれば、コンテンツ特徴Ｊ1と判断して階調補正部６へ出力する。
【００８２】
また、コンテンツ特徴判定部２０５ｙは、４つの輝度情報値のうちの３つ以下の情報のみを使用して判定してもよい。例えば平均輝度情報値１つのみでコンテンツ特徴を分類する、平均輝度情報値と最大輝度情報値の２つで分類するなど情報を選択できる。このように、情報量を減らすことによって、特徴検出の速度を速め、必要なメモリー容量を減らすことが出来る
【００８３】
補正制御部４は、入力されたコンテンツ特徴情報値Ｊｉに基づいて、コンテンツ特徴に対応した補正パラメータＰiを選択して、補正実行部５に出力する。これは実施の形態１と同様の制御を行うので説明を省略する。
【００８４】
以上のように、本実施の形態３に係る画像表示装置では、最大輝度画素数情報値及び中間輝度画素数階調情報値、最小輝度画素数情報値、平均輝度階調情報値から判定されたコンテンツ特徴情報に基づいて、画像信号Ｄｂに対して階調補正を行っているため、当該画像信号Ｄｂから得られるコンテンツ特徴判定をもとに最適なコントラスト調整が可能になる。
【００８５】
本例において、上述の特許文献２に記載の技術を用いてコンテンツ特徴判定を行うには、コンテンツを特徴付けるためのキーフレームを識別し、その情報を元にキーフレームと関連するフレーム番号を処理の間中に保持する必要がある。
【００８６】
しかしながら、本実施の形態３に係る画像処理装置では、フレーム毎に特徴を抽出しコンテンツ特徴を判定し、Ｄｂに対して階調補正を行っているため、リアルタイムにコンテンツ特徴判定を行い、フレーム毎に最適なコントラスト調整が可能である。
【００８７】
また本実施の形態３では、生成した階調値のヒストグラムから得られる所定の輝度範囲を、その画像信号についての最大輝度情報値あるいは最小輝度情報値、中間輝度情報値としている。また、それぞれの輝度に対して輝度画素数判定しきい値を設定している。そのため、当該しきい値を調整することにより、細やかでユーザに対応する階調補正が可能となる。
【００８８】
実施の形態４
図２３は、本発明の実施の形態４にかかわる画像表示装置の構成を示すブロック図である。本実施の形態４に係る画像表示装置は、上述の実施の形態３に係る画像処理装置において、画素数情報検出部１１の替わりに画素数情報検出部２１を備えるものである。
【００８９】
本実施の形態４に係る画像処理装置１７は、実施の形態３に係るコンテンツ特徴判定部２０と、階調補正部６と、画素数情報検出部２１を備えている。画素数情報検出部２１は、受信部２から出力される画像信号Ｄｂに含まれる輝度信号ＤｂＹが入力され、当該輝度信号ＤｂＹから各画素における輝度情報を検出して、ヒストグラムを作成し、ヒストグラムから得られる画素数情報値Ｎｉを出力する。
【００９０】
階調補正部６は、上述の実施の形態１に係る補正制御部４と、補正実行部５とを備えている。本実施の形態４に係る補正制御部４は、実施の形態１と同じものであり、階調補正部６及び表示部８は、実施の形態１で説明した動作と全く同じ動作を行う。また、コンテンツ特徴判定部も同じ処理を行うため、それらの詳細な動作説明は省略する。
【００９１】
図２４は画素数情報検出部２１の詳細な構成を示すブロック図である。図２４に示されるように、本実施の形態４に係る画素数情報検出部２１は、ヒストグラム生成部２１１ｙと、最大輝度画素数検出部２１２ｎと、中間輝度画素数検出部２１３ｎと、最小輝度画素数検出部２１４ｙと、平均輝度階調検出部２１５ｙとを備えている。
【００９２】
最大輝度画素数検出部２１２ｎと、中間輝度画素数検出部２１３ｎと、最小輝度画素数検出部２１４ｎと、平均輝度階調検出部２１５ｙは、実施の形態３で説明した動作と全く同じ動作を行うため、それらの詳細な動作説明は省略する。
【００９３】
図２５は、本実施の形態４に係わるヒストグラム生成部２１１ｙが生成するヒストグラムの一例を示す図である。実施の形態４においては処理の対象、つまり度数を計数する対象となる階調値の範囲を自由に設定できるように構成している。
【００９４】
具体的には、ヒストグラム生成部２１１ｙは、例えば、階調数が“２５６”の場合、第一の階調値“２０５”から最大階調値“２５５”までの範囲を最大輝度とし、最小階調値“０”から第二の階調値“５１”までの範囲を最小輝度、そして、第三の階調値“５２”から第四の階調値“２０４”までが中間輝度である。このヒストグラムの条件により、演算量を低減することができる。
【００９５】
以上のように、本実施の形態４に係る画像表示装置では、ヒストグラム生成部の演算量を低減させているため、当該画像処理装置１７の演算処理の量を小さくしながら、実施の形態３で得られる最適なコントラスト調整と同じ制御が可能になる。
【００９６】
また、本実施の形態４に係る画像処理装置では、実施の形態１同様にフレーム毎に特徴を抽出しコンテンツ特徴を判定して、Ｄｂに対して階調補正を行っているため、リアルタイムにコンテンツ特徴判定を行い、フレーム毎に最適なコントラスト調整が可能である。
【００９７】
また、ヒストグラムを生成するときの階調の範囲から、最大輝度画素数情報値あるいは最小輝度画素数情報値、中間輝度画素数情報値としている。そのため、当該範囲を調整することにより、細やかでユーザに対応する階調補正が可能となる。
【００９８】
また、上記当該範囲を調整することにより、入力画像信号Ｄａにおける電圧レベルに合わせた値に変更可能であるため、外部機器に対応した細やかな階調補正が可能となる。
【図面の簡単な説明】
【００９９】
【図１】本発明の実施の形態１に係る画像表示装置の構成を示すブロック図である。
【図２】本発明の実施の形態１に係る輝度情報検出部の構成を示すブロック図である。
【図３】本発明の実施の形態１に係るヒストグラム生成部で生成されるヒストグラムと輝度情報の条件を示す図である。
【図４】本発明の実施の形態１に係るコンテンツ特徴判定部を示すブロック図である。
【図５】本発明の実施の形態１に係る最大輝度情報のしきい値条件を示す図である。
【図６】本発明の実施の形態１に係る中間輝度情報のしきい値条件を示す図である。
【図７】本発明の実施の形態１に係る最小輝度情報のしきい値条件を示す図である。
【図８】本発明の実施の形態１に係るコンテンツ特徴判定をするための対応表である。
【図９】本発明の実施の形態１に係る補正制御部の動作を説明するための図である。
【図１０】本発明の実施の形態１に係る画像表示装置の別の構成例を示す図である。
【図１１】本発明の実施の形態１に係る画像表示装置の別の構成例を示す図である。
【図１２】本発明の実施の形態２に係る画像表示装置の構成を示すブロック図である。
【図１３】本発明の実施の形態２に係る輝度情報検出部の構成を示すブロック図である。
【図１４】本発明の実施の形態２に係るヒストグラム生成部で生成されるヒストグラムと輝度情報の条件を示す図である。
【図１５】本発明の実施の形態３に係る画像表示装置の構成を示すブロック図である。
【図１６】本発明の実施の形態３に係る画素数情報検出部の構成を示すブロック図である。
【図１７】本発明の実施の形態３に係るヒストグラム生成部で生成されるヒストグラムを示す図である。
【図１８】本発明の実施の形態３に係るコンテンツ特徴判定部を示すブロック図である。
【図１９】本発明の実施の形態３に係る最大輝度画素数情報のしきい値条件を示す図である。
【図２０】本発明の実施の形態３に係る中間輝度画素数情報のしきい値条件を示す図である。
【図２１】本発明の実施の形態３に係る最小輝度画素数情報のしきい値条件を示す図である。
【図２２】本発明の実施の形態３に係るコンテンツ特徴判定をするための対応表である。
【図２３】本発明の実施の形態４に係る画像表示装置の構成を示すブロック図である。
【図２４】本発明の実施の形態４に係る画素数情報検出部の構成を示すブロック図である。
【図２５】本発明の実施の形態４に係るヒストグラム生成部で生成されるヒストグラムを示す図である。
【符号の説明】
【０１００】
１  入力端子、２  受信部、４  補正制御部、５  補正実行部、６  階調補正部、
７、１７  画像処理装置、８  表示部、９、１９  輝度情報検出部、
９１ｙ、１９１ｙ、１１１ｙ、２１１ｙ  ヒストグラム生成部、
９２ｙ  最大階調検出部、９３ｙ  中間階調検出部、
９４ｙ  最小階調検出部、９５ｙ  平均輝度階調検出部、
１０、２０  コンテンツ特徴判定部、１０１ｙ、２０１ｙ最大輝度判定部、
１０２ｙ、２０２ｙ中間輝度判定部、１０３、２０３ｙ最小輝度判定部、
１０４ｙ、２０４ｙ平均輝度判定部、１０５ｙ、２０５ｙコンテンツ特徴判定部、
１１２ｎ、２１２ｎ最大輝度画素数検出部、１１３ｎ、２１３ｎ中間輝度画素数検出部、１１４ｎ、２１４ｎ最小輝度画素数検出部、１１５ｙ、２１５ｙ平均輝度検出部、
２１  画素数情報検出部
【図１】
2007124453.tif 000003
【図２】
2007124453.tif 000004
【図３】
2007124453.tif 000005
【図４】
2007124453.tif 000006
【図５】
2007124453.tif 000007
【図６】
2007124453.tif 000008
【図７】
2007124453.tif 000009
【図８】
2007124453.tif 000010
【図９】
2007124453.tif 000011
【図１０】
2007124453.tif 000012
【図１１】
2007124453.tif 000013
【図１２】
2007124453.tif 000014
【図１３】
2007124453.tif 000015
【図１４】
2007124453.tif 000016
【図１５】
2007124453.tif 000017
【図１６】
2007124453.tif 000018
【図１７】
2007124453.tif 000019
【図１８】
2007124453.tif 000020
【図１９】
2007124453.tif 000021
【図２０】
2007124453.tif 000022
【図２１】
2007124453.tif 000023
【図２２】
2007124453.tif 000024
【図２３】
2007124453.tif 000025
【図２４】
2007124453.tif 000026
【図２５】
2007124453.tif 000027